(57)【要約】【課題】開封時にカッターなどによる傷から商品を保護する。【解決手段】一対の側面板の上縁に繋げて設けた蓋板と、一対の端面板の上縁に繋げて設けた蓋フラップとを重ね合わせて粘着テープにて閉止する段ボール箱において、前記蓋フラップの少なくとも一方に、上端縁を起点とする斜折目を設け、前記斜折目の起点側に前記斜折線を隔て保護板を設け、前記斜折目に沿って前記保護板を折り曲げた状態で蓋を閉止すると、対向する蓋フラップ上端縁間の隙間を塞ぎ、開封時にカッターなどの刃先が蓋フラップ上端縁間の隙間を通過しても商品を傷から保護できるようにした。【選択図】図２
2006082842.tif 000002
【特許請求の範囲】
【請求項１】
一対の側面板の上縁に繋げて設けた蓋板と、一対の端面板の上縁に繋げて設けた蓋フラップとを重ね合わせて粘着テープにて閉止する段ボール箱において、前記蓋フラップの少なくとも一方に、上端縁を起点とする斜折目を設け、前記斜折目の起点側に前記斜折線を隔て保護板を繋げて設け、前記斜折目に沿って前記保護板を折り曲げ蓋を閉止すると、対向する蓋フラップ上端縁間の隙間を塞ぐようにしたことを特徴とする段ボール箱。
【請求項２】
前記保護板を斜折目に沿って折り曲げ、蓋フラップの上端縁と重なる部分に切り込みを設け、掛部を形成したことを特徴とする請求項１に記載の段ボール箱。
【発明の詳細な説明】
【技術分野】
【０００１】
この発明は、段ボール箱の蓋を開封する際、カッターなどによる商品への傷を防止する構造に関するものである。
【背景技術】
【０００２】
従来、輸送用で使用される段ボール箱（０２０１型）は、図６に示すように、一対の側面板３１の上下縁にそれぞれ外フラップ３３を設け、一対の端面板３２の上下縁にそれぞれ内フラップ３４を設け、前記外フラップ３３と内フラップ３４をそれぞれ重ね合わせ、中央に粘着テープ４０を貼り付け閉止すると、対向する内フラップ３４上端縁間に隙間が発生する。
【０００３】
前記段ボール箱を開封する際、図７に示すように粘着テープ４０の中央をカッターなどで切り込み開封している。
【０００４】
しかしながら、上記のようにカッターなどを使用し開封すると、対向する内フラップ３４上端縁間の隙間に刃物の先端が深く入り込んでしまった際に、商品に傷を付けることがある。    
【０００５】
上記のような問題を解決するために、図８に示すように商品の上側に保護パットを挿入することで、カッターなどによる商品への傷を防いでいる。
【０００６】
また、段ボール箱の端面に切り込みを設け、開封時に前記切り込みを破り、粘着テープの端部を持ち、剥がしやすくすることで、カッターなどを使用しないで開封できる。（例えば、特許文献１参照。）。
【特許文献１】特開平０９−２４０６６０号公報
【発明の開示】
【発明が解決しようとする課題】
【０００７】
しかしながら上記のように保護パットを挿入すると、部品点数の増加になり且つ、コストアップの要因になる。
【０００８】
また、段ボール箱の端面に切り込みを設け、粘着テープを剥がしやすくしていても、段ボール箱を開封する作業者が端面の切り込みに気づかずに、カッターなどを使用して開封し、商品に傷を付けている。
【０００９】
そこで、この発明は、部品点数、使用材料を増やすことなく、カッターなどを使用して開封しても商品に傷をつけない段ボール箱を提供する事を課題とする。
【課題を解決するための手段】
【００１０】
以上の課題を解決するために、この発明は、一対の側面板の上縁に繋げて設けた蓋板と、一対の端面板の上縁に繋げて設けた蓋フラップとを重ね合わせて粘着テープにて閉止する段ボール箱において、前記蓋フラップの少なくとも一方に、上端縁を起点とする斜折目を設け、前記斜折目の起点側に前記斜折線を隔て保護板を設け、前記斜折目に沿って前記保護板を折り曲げた状態で蓋を閉止すると、対向する蓋フラップ上端縁間の隙間を塞ぎ、開封時にカッターなどの刃先が蓋フラップ上端縁間の隙間を通過しても商品を傷から保護できるようにした。
【００１１】
また、前記保護板を斜折目に沿って折り曲げ、蓋フラップの上端縁と重なる部分に切り込みを設け、掛部を形成したことで、前記蓋フラップを折り曲げ閉止する際に、前記保護板がぶらぶらして邪魔にならず、作業性がよい。
【発明の効果】
【００１２】
このような段ボール箱であれば、部品点数、使用材料を増やすことなくカッターなどを使用して開封しても、商品を傷から保護することができる。
【発明を実施するための最良の形態】
【００１３】
図１は、この発明に係る段ボール箱１１の展開図であり、一対の側面板１と一対の端面板２を交互に繋げて設け、側面板１の開放側に糊代片７を繋げて設け、前記側面板１の上縁にはそれぞれ蓋板３、４を繋げて設け、下縁にはそれぞれ底板１２、１３を繋げて設け、前記端面板２の上縁にはそれぞれ蓋フラップ５、６を繋げて設け、下縁にはそれぞれ底フラップ１４、１５を繋げて設け、前記蓋フラップ５の上端縁を起点とし、中央部に向かって斜折目９を設け、前記斜折目９の起点側に斜折線９を隔て保護板８を設けている。
【００１４】
このとき、斜折目９の起点から蓋フラップ５先端に向かう保護板８の長辺を、対向する蓋フラップ５、６を内側に折り曲げることで発生する蓋フラップ５、６上端縁間の隙間の長さと同じになるようにし、保護板８を斜折目９に沿って折り曲げ、蓋フラップ５の上端縁と重なる部分に切り込みを設け、掛部１０を形成する。
【００１５】
前記段ボール箱１１は図２に示すように、糊代片７を反対側の端面板２に貼り付け筒状にし、底フラップ１４、１５を連結部より内側に折り曲げ、次いで底板１２、１３を連結部より内側に折り曲げ重ね合わせ、対向する底板１２、１３の突合せした部分に粘着テープ２０を貼り付け底面を閉止し、商品を詰めることができる。
【００１６】
そして、商品が詰め終わり、蓋面を閉止する際に、保護板８を斜折目９に沿って折り曲げた状態で、蓋フラップ５、６を内側に折り曲げることにより、図３に示すように、対向する蓋フラップ５、６上端縁間の隙間を塞ぎ、対向する蓋板３、４の突合せ部下側を保護することができる。
【００１７】
また、保護板８を斜折目９に沿って折り曲げると、前記保護板８に形成した掛部１０が蓋フラップ５の上端縁に掛かり、固定できるようにしたことで、斜折目９の反発による保護板８の戻りを防ぎ、蓋を閉止しやすくした。
【００１８】
そして、閉止された段ボール箱１１を開封する際は従来通り、カッターなどを使用して、粘着テープ２０の中央を切り込み開封しても保護板８があるために刃先などが蓋フラップ５、６上端縁間の隙間を通過しても商品に傷を付けることがない。
【００１９】
なお、本発明の段ボール箱１０は前記実施形態の構成に限定されるものではない。例えば、前記実施形態では、端面板２上縁の蓋フラップ５にのみに保護板８を設けたが、図４、５に示すように、蓋フラップ６にも保護板８を設けることで、対向する蓋フラップ５、６上端縁間の隙間が広い場合においても対応することができ、商品を保護することができる。
【図面の簡単な説明】
【００２０】
【図１】本発明の段ボール箱の展開図である。
【図２】保護板を斜折目より折り曲げた状態の斜視構成図である。
【図３】蓋を閉止した状態を示す上面図である。
【図４】対向する蓋フラップに保護板を設けた状態を示す展開図である。
【図５】対向する蓋フラップに保護板を設け、蓋を閉止した状態を示す上面図である。
【図６】従来の段ボール箱を粘着テープで閉止した状態の斜視構成図である。
【図７】カッターにて開封する状態を示す斜視構成図である。
【図８】天面の保護パットを挿入する状態を示す斜視構成図である。
【符号の説明】
【００２１】
１  側面板
２  端面板
３、４  蓋板
５、６  蓋フラップ
７  糊代片
８  保護板
９  斜折目
１０  掛部
１１  段ボール箱
１２、１３  底板
１４、１５  底フラップ
２０  粘着テープ
【図１】
2006082842.tif 000003
【図２】
2006082842.tif 000004
【図３】
2006082842.tif 000005
【図４】
2006082842.tif 000006
【図５】
2006082842.tif 000007
【図６】
2006082842.tif 000008
【図７】
2006082842.tif 000009
【図８】
2006082842.tif 000010